(57)【要約】【課題】押し戻し力によっては、操作部が移動しないように保持されて、軽い操作力で操作可能となる操作性が良好なケーブル式可動部材の操作装置を提供する。【解決手段】逆動防止機構１１は、操作力が加わった状態では、くの字状弾性部材１８の屈曲部２０に形成された山型突起部１９を、ラック部１７の山部間に位置する谷部から、離反させることにより、コントロール側スライダ部材１４側からのスライド移動が許容される。  また、前記負荷側スライダ部材１５側から加わる押し戻し力で、ラック部１７の谷部内に、山型突起部１９が突入して、両側の山部間に係止されることにより、コントロール側スライダ部材１４のスライド移動が阻止される。【選択図】図１
2008222047.tif 000002
【特許請求の範囲】
【請求項１】
ワイヤケーブルの少なくとも一部に介在されて、操作部に連結されるコントロール側スライダ部材と、可動部材に、該ワイヤケーブルを介して連結される負荷側スライダ部材と、該コントロール側スライダ部材及び負荷側スライダ部材間に、一定長さの相対スライド移動を許容する係合部を介在させて、スライド自在に収納する収納レール部と、該収納レール部の側壁部に一体に形成される鋸刃状のラック部と、該ラック部に係合離反可能な突起部を屈曲部に有して、該コントロール側スライダ部材側からのスライド移動を許容すると共に、前記負荷側スライダ部材側からのスライド移動を阻止するくの字状弾性部材を設けてなることを特徴とするケーブル式可動部材の操作装置。
【請求項２】
前記コントロール側スライダ部材に開口形成された一対のコントロール側長孔部及び、前記負荷側スライダ部材に開口形成された一対の負荷側長孔部を各々開口形成すると共に、前記くの字状弾性部材には、前記屈曲部から一対延設される各アーム部の先端近傍に、前記コントロール側長孔部及び負荷側長孔部に、挿通される係合突起部を凸設形成すると共に、該アーム部の各先端部間を拡開又は閉塞方向に弾性変形可能として、しかも、前記コントロール側長孔部の中央寄内側縁の位置が、操作力が加わっていない状態では、前記係合突起部を当接させると共に、操作力が加わると、何れか一方の中央寄内側縁によって、前記係合突起部を、該各アーム部の先端部間が拡開する方向に押圧させると共に、前記負荷側長孔部の外側縁位置が、押し戻し力が加わることにより、何れか一方の外寄内側縁によって、前記係合突起部を、該各アーム部の先端部間が、閉塞する方向に押圧する位置となるように設定されていることを特徴とする請求項１記載のケーブル式可動部材の操作装置。
【発明の詳細な説明】
【技術分野】
【０００１】
本発明は、主に、自動車等、車両の空調装置等に用いられるケーブル式可動部材の操作装置に関するものである。
【背景技術】
【０００２】
従来、図６及び図７に示すようなケーブル式可動部材の操作装置が知られている（例えば、特許文献１参照）。
【０００３】
まず、構成から説明すると、このケーブル式可動部材の操作装置では、主に、車室前方のインストルメントパネル１内に、図７に示すようなエアコンユニット２が内蔵されている。
【０００４】
このエアコンユニット２の内部には、エバポレータ７とヒータコア８との間に、エアミックスドア３が揺動自在に装着されている。
【０００５】
また、図６に示すようなインストルメントパネル１の車室内側面には、コントローラ４の温度設定レバー５が、揺動軸部５ａを回動中心として、略水平方向にスライド操作可能に装着されている。
【０００６】
そして、この温度設定レバー５は、前記エアミックスドア３と接続されるワイヤケーブル６を介して、水平方向のスライド量に応じた揺動量を、前記エアミックスドア３に伝達するように構成されている。
【０００７】
次に、この従来例のケーブル式可動部材の操作装置の作用効果について、説明する。
【０００８】
このように構成されたケーブル式可動部材の操作装置では、前記温度設定レバー５が、水平方向にスライド移動されると、水平方向のスライド量に応じた揺動量が、ワイヤケーブル６を介して、前記エアミックスドア３に伝達される。
【０００９】
前記エアミックスドア３では、揺動量に応じて、車室内に送風される前記温冷風の風量分配が変更されて、所望の吹き出し空気温度を得ることが出来る。
【特許文献１】特開昭５８−２１１９１０号公報（発明の詳細な説明、第４図、第５図）
【発明の開示】
【発明が解決しようとする課題】
【００１０】
しかしながら、このように構成された従来のケーブル式可動部材の操作装置では、近年、前記性能向上に伴う風量の増加で、前記エアミックスドア３に加わる風圧が、増大して前記温度設定レバー５が、押し戻されるといった現象が生じている。
【００１１】
このようなエアミックスドア３に加わる押し戻し力に対抗するため、前記温度設定レバー５に設けられているクリック力を強くして、この押し戻し力が加わっても、温度設定レバー５が、操作されている位置に保持されるように構成されている。
【００１２】
このため、温度調整レバー５の操作力が増大することとなり、操作性が低下してしまうといった問題もあった。
【００１３】
そこで、この発明は、押し戻し力によっては、操作部が移動しないように保持されて、軽い操作力で操作可能となる操作性が良好なケーブル式可動部材の操作装置を提供することを課題としている。
【課題を解決するための手段】
【００１４】
上記目的を達成するために、請求項１に記載された発明は、ワイヤケーブルの少なくとも一部に介在されて、操作部に連結されるコントロール側スライダ部材と、可動部材に、該ワイヤケーブルを介して連結される負荷側スライダ部材と、該コントロール側スライダ部材及び負荷側スライダ部材間に、一定長さの相対スライド移動を許容する係合部を介在させて、スライド自在に収納する収納レール部と、該収納レール部の側壁部に一体に形成される鋸刃状のラック部と、該ラック部に係合離反可能な突起部を屈曲部に有して、該コントロール側スライダ部材側からのスライド移動を許容すると共に、前記負荷側スライダ部材側からのスライド移動を阻止するくの字状弾性部材を設けてなるケーブル式可動部材の操作装置を特徴としている。
【００１５】
また、請求項２に記載されたものは、前記コントロール側スライダ部材に開口形成された一対のコントロール側長孔部及び、前記負荷側スライダ部材に開口形成された一対の負荷側長孔部を各々開口形成すると共に、前記くの字状弾性部材には、前記屈曲部から一対延設される各アーム部の先端近傍に、前記コントロール側長孔部及び負荷側長孔部に、挿通される係合突起部を凸設形成すると共に、該アーム部の各先端部間を拡開又は閉塞方向に弾性変形可能として、しかも、前記コントロール側長孔部の中央寄内側縁の位置が、操作力が加わっていない状態では、前記係合突起部を当接させると共に、操作力が加わると、何れか一方の中央寄内側縁によって、前記係合突起部を、該各アーム部の先端部間が拡開する方向に押圧させると共に、前記負荷側長孔部の外側縁位置が、押し戻し力が加わることにより、何れか一方の外寄内側縁によって、前記係合突起部を、該各アーム部の先端部間が、閉塞する方向に押圧する位置となるように設定されている請求項１記載のケーブル式可動部材の操作装置を特徴としている。
【発明の効果】
【００１６】
このように構成された請求項１記載の発明は、前記くの字状弾性部材によって、コントロール側スライダ部材からのスライド操作が許容される。
【００１７】
しかも、押し戻し力によっては、前記負荷側スライダ部材からのスライド移動が阻止されて、前記操作部が、移動しないように保持される。
【００１８】
このため、例えば、風量の増量で、エアミックスドア等、負荷側スライダ部材に連結された可動部材に加わる押し戻し力が増加しても、コントロール側スライダ部材に連結された操作部が移動する虞がない。
【００１９】
従って、従来のように、クリック力を増大させる必要が無く、軽い操作力で、前記操作部を操作出来、操作性が良好である。
【００２０】
また、請求項２に記載されたものは、前記操作部の操作力が加わらない状態及び、前記負荷側の押し戻し力が加っている状態では、前記コントロール側長孔部の中央寄内側縁に、前記係合突起部が当接されて、最も閉塞されている状態とすることにより、前記操作部が、移動しないように保持することができる。
【００２１】
そして、前記操作部から操作力が加わると、前記コントロール側長孔部の何れか一方の中央寄内側縁によって、該各アーム部の先端部間を拡開させる方向に前記係合突起部が、押圧される。
【００２２】
このため、前記くの字状弾性部材の屈曲部に形成された突起部は、前記ラック部から離反して、収納レール部内で、前記コントロール側スライダ部材及び負荷側スライダ部材をスライド移動可能とする。
【００２３】
従って、前記ワイヤケーブルを介して、前記操作部の操作力を、前記可動部材に伝達して、軽い操作力で、前記操作部を操作出来、操作性が良好である。
【００２４】
また、前記負荷側の押し戻し力が加わる状態では、前記負荷側長孔部の外側縁の何れか一方によって、前記係合突起部が、該各アーム部の先端部間を、閉塞させる方向に押圧する。
【００２５】
このため、前記くの字状弾性部材の屈曲部に形成された突起部が、前記ラック部内に突入して、収納レール部内で、前記コントロール側スライダ部材及び負荷側スライダ部材をスライド移動不能とする。
【００２６】
従って、押し戻し力が作用しても、前記操作部が、移動する虞が無く、クリック力を増大させる必要が無く、軽い操作力で操作可能となる操作性が良好なケーブル式可動部材の操作装置が提供される。
【発明を実施するための最良の形態】
【００２７】
次に、図面に基づいて、この発明を実施するための最良の実施の形態のケーブル式可動部材の操作装置について、説明する。
【００２８】
なお、前記従来例と同一乃至均等な部分については、同一符号を付して説明する。
【００２９】
図１乃至図５は、この発明の最良の実施の形態のケーブル式可動部材の操作装置を示すものである。
【００３０】
まず、全体の構成について説明すると、この実施の形態のケーブル式可動部材の操作装置は、図１に示すように、操作部としての操作ノブ部９を、車室内方向へ突出した揺動先端１０ｂに固着してなるコントロールレバー部材１０を有している。
【００３１】
このコントロールレバー部材１０は、前記エアコンユニット２の操作パネル２ａ内側に設けられているコントローラ筐体２ｂの上面側に、回転軸１０ａを介して回動自在に軸支されている。
【００３２】
また、このコントロールレバー部材１０は、可動部材としてのエアミックスドア３の回動軸３ａに、回動片３ｂを介して接続されるワイヤケーブル６が連結されている。
【００３３】
このワイヤケーブル部材６は、前記エアミックスドア３の回動片３ｂに連結される負荷側ワイヤケーブル６ａと、前記コントロールレバー部材１０に連結されるコントロール側ワイヤケーブル６ｂとに分割されていて、両負荷側ワイヤケーブル６ａ及び、前記コントロール側ワイヤケーブル６ｂ間に、前記コントローラ筐体２ｂの上面側に設けられた逆動防止機構１１が介在されている。
【００３４】
この逆動防止機構１１は、ケース１２内に凹状形成された収納レール部１３と、この収納レール部１３に沿って摺動自在に収納されると共に、前記コントロールレバー部材１０に、前記コントロール側ワイヤケーブル６ｂを介して連結されるコントロール側スライダ部材１４と、前記エアミックスドア３に、前記負荷側ワイヤケーブル６ａを介して連結される負荷側スライダ部材１５とを有している。
【００３５】
これらのコントロール側スライダ部材１４及び負荷側スライダ部材１５は、図１に示すように、各々長尺平板状を呈して、図２に示すように、前記負荷側ワイヤケーブル６ａ及びコントロール側ワイヤケーブル６ｂが接続されている端部とは、反対側の端部１４ａ及び端部１５ａ同士を重ね合わせるように構成されている。
【００３６】
このうち、前記コントロール側スライダ部材１４及び負荷側スライダ部材１５間に、一定長さの相対スライド移動を許容する係合部１６が介在されている。
【００３７】
この実施の形態では、係合部１６が、図２に示すように、前記コントロール側スライダ部材１４のうち、前記負荷側スライダ部材１５を重ね合わせることにより、対向する面に突設される円柱状の係合凸部１６ａ及び、前記負荷側スライダ部材１５のうち、前記コントロール側スライダ部材１４との対向面に形成されて、この係合凸部１６ａを遊嵌させて係合する長円凹溝状の係合凹部１６ｂとを有して構成されている。
【００３８】
また、このコントロール側スライド部材１４の端部１４ａには、前記係合凸部１６ａの両側に、一対のコントロール側長孔部１４ｂ，１４ｂが長手方向を、前記コントロール側スライド部材１４の移動方向と一致させて、開口形成されている。
【００３９】
更に、前記負荷側スライド部材１５の端部１５ａには、前記係合凹部１６ｂの両側に、一対の負荷側長孔部１５ｂ，１５ｂが、長手方向を、前記コントロール側スライド部材１４の移動方向と一致させて、開口形成されている。
【００４０】
また、これらのコントロール側スライダ部材１４及び負荷側スライダ部材１５をスライド自在に収納する収納レール部１３の側壁部１３ａには、鋸刃状のラック部１７が、一体に形成されている。
【００４１】
このラック部１７は、所定のピッチで、山部及び谷部を交互に繰り返し、前記コントロール側スライダ部材１４及び、前記負荷側スライダ部材１５の前記収納レール部１３に沿ったスライド移動方向と平行な直線状に形成されている。
【００４２】
また、この実施の形態の逆動防止機構１１には、くの字状弾性部材１８が設けられている。
【００４３】
このくの字状弾性部材１８は、前記ラック部１７に係合離反可能な突起部としての山型突起部１９が、中央の屈曲部２０に、側面視略直角二等辺三角形の山型形状を呈して、一体に突設形成されている。
【００４４】
この屈曲部２０では、図４に示すように、前記ラック部１７の山部間に位置する谷部から、前記山型突起部１９が離反することにより、前記コントロール側スライダ部材１４側からのスライド移動が許容される。
【００４５】
また、この屈曲部２０では、前記谷部内に、前記山型突起部１９が突入して、両側の山部間に係止されることにより、前記負荷側スライダ部材１５側から加わる押し戻し力で、前記コントロール側スライダ部材１４のスライド移動が阻止されるように構成されている。
【００４６】
更に、このくの字状弾性部材１８は、前記屈曲部２０から一対延設される各アーム部２１，２１の先端近傍側面部には、円柱形状の係合突起部２２，２２が各々突設形成されている。
【００４７】
また、これらのアーム部２１，２１は、前記屈曲部２０を中心として、各アーム部２１，２１の先端部２１ａ，２１ａ間が拡開又は閉塞方向に弾性変形可能となるように構成されている。
【００４８】
そして、前記先端部２１ａ，２１ａ間が拡開する図４に示される状態では、前記ラック部１７の山部間に位置する谷部から、前記山型突起部１９が離反するように構成されている。
【００４９】
更に、前記先端部２１ａ，２１ａ間が、閉塞する図２及び図５に示される状態では、前記ラック部１７の山部間に位置する谷部内に、前記山型突起部１９が突入するように構成されている。
【００５０】
すなわち、これらの係合突起部２２，２２は、前記コントロール側スライダ部材１４に開口形成された一対のコントロール側長孔部１４ｂ，１４ｂ及び、このコントロール側スライダ部材１４に重ね合わされた前記負荷側スライダ部材１５に開口形成された一対の負荷側長孔部１５ｂ，１５ｂに各々挿通されるように、図１中下向きに凸設形成されている。
【００５１】
また、前記コントロール側長孔部１４ｂ，１４ｂの中央寄内側縁１４ｃ，１４ｃ及び，外寄内側縁１４ｄ，１４ｄの位置は、図２に示すように、操作力及び押し戻し力が加わっていない状態では、コントロール側スライダ部材１４の内側縁１４ｃ，１４ｃに、各々当接して、最も閉塞された状態、例えば、前記アーム部２１，２１の延設方向が、略９０度で交差すると共に、前記山型突起部１９が、前記ラック部１７の谷部内に突入して、両側に位置する山部に係止されるように構成されている。
【００５２】
そして、前記コントロール側長孔部１４ｂ，１４ｂの中央寄内側縁１４ｃ，１４ｃ、外側内側縁１４ｄ，１４ｄの位置は、前記操作ノブ９側から操作力が加わると、何れか一方の中央寄内側縁１４ｃ，１４ｃによって、前記係合突起部２２，２２を、各アーム部２１，２１の先端部２１ａ，２１ａ間が拡開する方向に押圧されると共に、最も拡開された状態で、前記係合突起部２２，２２が、前記外側内側縁１４ｄ，１４ｄに、当接しないように、前記コントロール側長孔部１４ｂ，１４ｂの長手方向寸法が、設定されている。
【００５３】
更に、図５に示すように、前記負荷側スライダ部材１５の負荷側長孔部１５ｂの外側縁位置は、前記押し戻し力が加わることにより、何れか一方の外寄内側縁１４ｄ，１４ｄによって、前記係合突起部２２，２２を、各アーム部２１，２１の先端部２１ａ，２１ａ間が、閉塞する方向に押圧する位置となるように設定されている。
【００５４】
従って、前記エアミックスドア３側から押し戻し力が加わると、前記両先端部２１ａ，２１ａ間が閉塞方向に移動する弾性変形に伴って、前記山型突起部１９が、前記ラック部１７に係合して、前記コントロール側スライダ部材１４及び負荷側スライダ部材１５のスライド移動をロックするように構成されている。
【００５５】
次に、この実施の形態のケーブル式可動部材の操作装置の作用効果について説明する。
【００５６】
このように構成された実施の形態のケーブル式可動部材の操作装置では、前記くの字状弾性部材１８によって、コントロール側スライダ部材１４からのスライド操作が許容される。
【００５７】
しかも、押し戻し力によっては、前記負荷側スライダ部材１５からのスライド移動が阻止されて、前記操作ノブ９が、移動しないように保持される。
【００５８】
このため、例えば、風量の増量で、エアミックスドア３等、負荷側スライダ部材１５に、前記負荷側ワイヤケーブル６ａを介在させて連結された可動部材に加わる押し戻し力が増加しても、コントロール側スライダ部材１４に連結されたコントロールレバー部材１０及び操作ノブ９が移動する虞がない。
【００５９】
従って、従来のように、クリック力を増大させる必要が無く、軽い操作力で、前記操作ノブ９を操作出来、操作性が良好である。
【００６０】
また、図２に示されるように、前記操作ノブ９の操作力が加わらない状態及び、図５に示すように、前記負荷側の押し戻し力が加わっている状態では、前記コントロール側長孔部１４ｂの中央寄内側縁１４ｃ，１４ｃに、両側から前記係合突起部２２，２２が当接されて、最も閉塞されている状態で挟持されることにより、前記くの字状弾性部材１８が、弾性変形して、前記山型突起部１９を前記ラック部１７の谷部の一つの中に突入させる。
【００６１】
このため、前記山型突起部１９が突入した谷部の両側の山部に前記山型突起部１９が係止されて、コントロール側スライダ部材１４が、スライド方向へ移動しないようにロックすることにより、前記操作ノブ１０ｂが、前記コントロールレバー部材１０と共に、操作終了位置で、移動しないように保持される。
【００６２】
そして、前記操作ノブ９から操作力が加わると、図３に示すように、前記コントロール側長孔部１４ｂの何れか一方の中央寄内側縁１４ｃによって、この各アーム部２１，２１の先端部２１ａ，２１ａ間を拡開させる方向に前記係合突起部２２，２２が、押圧される。
【００６３】
このため、前記くの字状弾性部材１８の屈曲部２０に形成された山型突起部１９は、前記ラック部１７から離反して、収納レール部１３内で、前記コントロール側スライダ部材１４及び負荷側スライダ部材１５をスライド移動可能とする。
【００６４】
このように、前記ワイヤケーブル６を介して、前記操作ノブ９の操作力を、前記エアミックスドア３に伝達して、軽い操作力で、前記操作ノブ９を操作出来、操作性が良好である。
【００６５】
また、前記負荷側の押し戻し力が加わる状態では、図５中白抜き矢印で示すように、押し戻し力が、前記負荷側スライダ部材１５に加わると、前記負荷側長孔部１５ｂ，１５ｂの外寄内側縁１５ｄ，１５ｄの何れか一方によって、前記係合突起部２２，２２が、各アーム部２１，２１の先端部２１ａ，２１ａ間を、閉塞させる方向に押圧される。
【００６６】
このため、前記くの字状弾性部材１８の屈曲部２０に形成された山型突起部１９が、前記ラック部１７内に突入して、前記収納レール部１３内で、前記コントロール側スライダ部材１４及び負荷側スライダ部材１５をスライド移動不能とする。
【００６７】
この際、図中右側に位置する前記負荷側長孔部１５ｂの中央寄内側縁１５ｃが、前記係合突起部２２に当接するので、前記山型突起部１９が、前記ラック部１７内に突入する寸法が規制される。
【００６８】
従って、押し戻し力が作用しても、前記コントロールレバー部材１０及び操作ノブ９が、移動する虞が無く、従来のようにクリック力を増大させる必要が無く、軽い操作力で操作可能となる操作性が良好なケーブル式可動部材の操作装置が提供される。
【００６９】
以上、図面を参照して、本発明の実施の形態を詳述してきたが、具体的な構成は、この実施の形態に限らず、本発明の要旨を逸脱しない程度の設計的変更は、本発明に含まれる。
【００７０】
即ち、前記実施の形態では、可動部材としての前記エアミックスドア３と、コントロールレバー部材１０とを連結するワイヤケーブル６に、くの字状弾性部材１８を有する逆動防止機構が設けられているが、特にこれに限らず、例えば、内外気切換ドアや他の風量、風向調整ドア等、負荷側スライダ部材１５に連動するものであれば、どのようなものに用いてもよい。
【００７１】
また、操作部として、コントロールレバー部材１０に設けられる操作ノブ９を用いたものを示して説明してきたが、特にこれに限らず、例えば、回転ノブを有するロータリースイッチ等を操作部として用いても良く、操作部の数量，形状，及び、材質が、特に限定されるものではない。
【図面の簡単な説明】
【００７２】
【図１】この発明の最良の実施の形態のケーブル式可動部材の操作装置で、要部の構成を説明する分解斜視図である。
【図２】この発明の最良の実施の形態のケーブル式可動部材の操作装置で、図１中、逆動防止機構を水平断面に沿い、上，中，下三層に相当する位置での負荷の無い状態を説明する断面図である。
【図３】この発明の最良の実施の形態のケーブル式可動部材の操作装置で、図１中、逆動防止機構を水平断面に沿い、上，中，下三層に相当する位置で、操作部側から操作力が加わった状態を説明する断面図である。
【図４】この発明の最良の実施の形態のケーブル式可動部材の操作装置で、図１中、逆動防止機構を水平断面に沿い、上，中，下三層に相当する位置で、操作部側から、更に操作力が加わった状態を説明する断面図である。
【図５】この発明の最良の実施の形態のケーブル式可動部材の操作装置で、図１中、逆動防止機構を水平断面に沿い、上，中，下三層に相当する位置で、負荷側から、押し戻し力が加わった状態を説明する断面図である。
【図６】従来例のケーブル式可動部材の操作装置で、操作パネル近傍の構成を説明する斜視図である。
【図７】従来例のケーブル式可動部材の操作装置で、全体の構成を説明する模式図である。
【符号の説明】
【００７３】
３              エアミックスドア（可動部材）
６              ワイヤケーブル
９              操作ノブ（操作部）
１０            コントロールレバー部材（操作部）
１１            逆動防止機構
１４            コントロール側スライダ部材
１４ｂ，１４ｂ  コントロール側長孔部
１４ｃ          中央寄内側縁
１４ｄ          外寄内側縁
１５            負荷側スライダ部材
１５ｂ，１５ｂ  負荷側長孔部
１５ｃ          中央寄内側縁
１５ｄ          外寄内側縁
１６            係合部
１７            ラック部
１８            くの字状弾性部材
１９            山型突起部（突起部）
２２，２２      係合突起部
【図１】
2008222047.tif 000003
【図２】
2008222047.tif 000004
【図３】
2008222047.tif 000005
【図４】
2008222047.tif 000006
【図５】
2008222047.tif 000007
【図６】
2008222047.tif 000008
【図７】
2008222047.tif 000009